(57)【要約】【課題】  導電バーとの接触信頼性が低下せずに、許容電流容量を増やすことができるプラグインブレーカを提供する。【解決手段】２つの電圧極および１つの中性極からなり上下方向三段として配設した３本の導電バーに接続するプラグインブレーカであって、３本の導電バーのうちの少なくとも２つの導電バーの分岐接続部に各々差込接続する受刃５〜８を有するものにおいて、受刃５〜８は接続される導電バー毎に複数個設けられ、同一の導電バーに接続された受刃同士を電気的に接続している。この場合、同一極同士の受刃６、８または５、７を横並びにし、かつ、他極に対しては受刃５、６が上下並びに、受刃７、８が上下並びに配設されている。【選択図】        図１
2005100727.tif 000002
【特許請求の範囲】
【請求項１】
２つの電圧極および１つの中性極からなり上下方向三段として配設した３本の導電バーに接続するプラグインブレーカであって、前記３本の導電バーのうちの少なくとも２つの導電バーの分岐接続部に各々差込接続する受刃を有するものにおいて、
前記受刃は接続される導電バー毎に複数個設けられ、同一の導電バーに接続された受刃同士を電気的に接続したことを特徴とするプラグインブレーカ。
【請求項２】
前記受刃は、同一極同士を横並び、かつ、他極に対して上下並びに配設された請求項１記載のプラグインブレーカ。
【請求項３】
前記受刃は、同一極同士を千鳥状、かつ、他極に対して上下並びに配設された請求項１記載のプラグインブレーカ。
【発明の詳細な説明】
【技術分野】
【０００１】
本発明は、導電バーが差込接続される受刃を有したプラグインブレーカに関するものである。
【背景技術】
【０００２】
プラグインブレーカを用いた分電盤として特許文献１に示すものが存在する。
【０００３】
このものは、３本の導電バーに対して直交方向両側にプラグインブレーカを横並びに並設し、各プラグインブレーカを３本の導電バーのうちの２本に差込接続したものである。導電バーのうち２本の電圧極バーは、導電バーの直交方向一方側ではL1極がL2極よりも上側、直交方向他方側ではL2極がL1極よりも上側になるように、電圧極の導電バーからプラグインブレーカの1つの受刃毎に分岐接続部を折曲形成している。
【０００４】
ここで、近年、ＩＨクッキングヒータが普及しつつあるが、ＩＨクッキングヒータのように電力を沢山消費する負荷にあってはプラグインブレーカの電流容量を増やす必要があり、プラグインブレーカの受刃と導電バーとの接触面積を増やさなければならない。
【０００５】
そこで、上述のプラグインブレーカの幅寸法を2個分とし、その幅寸法分の大きさの受刃を用いると隣合う電圧極の分岐接続部２つに接続できて電流容量を増やすことができるようになる。
【０００６】
しかしながら、この場合、２つの分岐接続部を1つの受刃毎に接続することとなり、接触信頼性が悪くなる恐れがある。
【０００７】
また、特許文献２に示すように、3本の導電バーに対して直交方向一方側のみにプラグインブレーカを横並びに並設するとともに、2本の電圧極の導電バーL1、L2の各分岐接続部を交互に上下に配置したものにあっては、単純に受刃の大きさを変えるだけでは対応できないという問題があった。
【特許文献１】特開2001−069620号
【特許文献２】特開2002−291117号
【発明の開示】
【発明が解決しようとする課題】
【０００８】
本発明は、かかる事由に鑑みて成されたものであり、その目的とするところは、導電バーとの接触信頼性が低下せずに、許容電流容量を増やすことができるプラグインブレーカを提供することにある。
【課題を解決するための手段】
【０００９】
この発明のプラグインブレーカは、２つの電圧極および１つの中性極からなり上下方向三段として配設した３本の導電バーに接続するプラグインブレーカであって、前記３本の導電バーのうちの少なくとも２つの導電バーの分岐接続部に各々差込接続する受刃を有するものにおいて、
前記受刃は接続される導電バー毎に複数個設けられ、同一の導電バーに接続された受刃同士を電気的に接続したことを特徴とするものである。
【００１０】
上記構成において、前記受刃は、同一極同士を横並び、かつ、他極に対して上下並びに配設されたものである。
【００１１】
上記構成において、前記受刃は、同一極同士を千鳥状、かつ、他極に対して上下並びに配設されたものである。
【発明の効果】
【００１２】
このプラグインブレーカによれば、各導電バーに対して複数個の受刃を分岐接続部に接続するので、許容電流容量を大きくすることができる。また、1つの導電バーを2つ以上の受刃に差込接続するので、受刃と分岐接続部（導電バー）との接触信頼性が低下せず、確実に許容電流容量を増やすことができる。
【００１３】
受刃は、同一極同士を横並び、かつ、他極に対して上下並びに配設したため、各導電バーの分岐接続部が横並びの場合に対応させることができる。すなわち、導電バー全体が上下方向に三段に配設されているものや、電圧極の分岐接続部であって同一極同士が横並び、かつ、他極に対して上下並びに配設されている場合に対応させることができる。
【００１４】
受刃は、同一極同士を千鳥状、かつ、他極に対して上下並びに配設されると、各導電バーの分岐接続部が千鳥状の場合に対応させることができる。すなわち、電圧極の分岐接続部であって同一極同士が千鳥状、かつ、他極に対して上下並びに配設されている場合に対応させることができる。
【発明を実施するための最良の形態】
【００１５】
この発明の第１の実施の形態を図１から図４により説明する。すなわち、このプラグインブレーカは、２つの電圧極および１つの中性極からなり上下方向三段として配設した３本の導電バー１〜３に接続される。導電バー１〜３は一端が主幹ブレーカに接続される。図２は実施の形態の導電バー１〜３を示し、電圧極の導電バー１、２は同じ高さに平行に並び、導電バー１は対向側の側縁より分岐接続部１ａ、１ｂを側縁に沿って交互に複数立設し、同様に導電バー２は対向側の側縁より分岐接続部２ａ、２ｂを側縁に沿って交互に複数立設している。導電バー１の分岐接続部１ａの先端は導電バー１の本体上に折り返され、分岐接続部１ｂの先端は分岐接続部１ａよりも高い位置で導電バー２の本体側に折曲されている。導電バー２の分岐接続部２ａの先端は分岐接続部１ａと同じ高さであって分岐接続部１ｂの下側で導電バー２の本体上に折り返され、分岐接続部２ｂの先端は分岐接続部１ｂと同じ高さであって分岐接続部１ａの上側で導電バー１の本体側に折曲されている。
【００１６】
プラグインブレーカは、器体１３の一側に導電バー１〜３に差し込む差し込み溝１０〜１２を形成している。差し込み溝１２は、器体１３の取付面に平行に縦３段に形成している。また器体１３の上面にハンドル４を露出し、他側に負荷側の端子部１７、１８を設け、内部に開閉・トリップ機構（図示せず）を収納している。実施の形態では、従来の例えば単極のプラグインブレーカの２台を横に並べて一体にした構成に相当する。したがって、ハンドル４に連動する一対の接点部１５、１６を有する。また差し込み溝１２内に配置される電源側端子となる受刃は、プラグインブレーカが導電バー１側に配置される場合、導電バー１、２の上下に並ぶ分岐接続部１ａ、２ｂの組に対する受刃５、６と、その隣の分岐接続部１ａ、２ｂの組に対する受刃７、８を有する。プラグインブレーカが導電バー２側に配置される場合は、分岐接続部２ａ、１ｂの組の２組分に対する受刃５〜８を有することとなる。このように、受刃５〜８は接続される導電バー毎に複数個設けられ、同一の導電バーに接続された受刃６、８同士または受刃５、７同士をそれぞれ電気的に接続している。この場合、図３に示すように受刃６、８は差し込み溝１１に配設され、受刃５、７は差し込み溝１０に配設され、同一極同士を横並びにし、かつ、他極に対して上下並びに配設されている。１４は導電バー１〜３からの外れ防止のための係止部（図示せず）に係止する被係止部である。
【００１７】
図４において、負荷側の端子部１７、１８はそれぞれ接点部１５、１６の可動接点側に接続され、受刃６、８は相接続されて接点部１５の固定接点側に接続され、受刃５、７は相接続されて接点部１６の固定接点側に接続されている。
【００１８】
この実施の形態によれば、各導電バーに対して複数個の受刃を分岐接続部に接続するので、許容電流容量を大きくすることができる。また、1つの導電バーの分岐接続部を2つ以上の受刃に差込接続するので、受刃と分岐接続部との接触信頼性が低下せず、確実に許容電流容量を増やすことができる。
【００１９】
受刃は、同一極同士を横並び、かつ、他極に対して上下並びに配設したため、各導電バーの分岐接続部が横並びの場合に対応させることができる。すなわち、導電バー全体が上下方向に三段に配設されているものや、電圧極の分岐接続部であって同一極同士が横並び、かつ、他極に対して上下並びに配設されている場合に対応させることができる。
【００２０】
この発明の第２の実施の形態を図３および図５により説明する。すなわち、導電バーの分岐接続部が千鳥状の場合に対応して、受刃５〜８の同一極同士６、７を千鳥状、または同一極同士５、８を千鳥状にし、かつ、他極５、６に対して上下並びに、または他極７、８に対して上下並びに配設されている。したがって、受刃６、７が接点部１６に接続され、受刃５、８が接点部１５に接続されている。
【００２１】
この実施の形態によれば、電圧極の分岐接続部であって同一極同士が千鳥状、かつ、他極に対して上下並びに配設されている場合に対応させることができる。
【００２２】
なお、上記各実施の形態において、器体１３に導電バー３の中性極に接続するための受刃を設け、受刃に接点部を介して接続する負荷端子を設けてもよい。また中性極の導電バー３を別途に分電盤に設けた端子に接続し、その端子より負荷線を引出すことができる。
【図面の簡単な説明】
【００２３】
【図１】この発明の第１の実施の形態の斜視図である。
【図２】導電バーの斜視図である。
【図３】負荷側からみたプラグインブレーカの正面図である。
【図４】端子間の配線図である。
【図５】第２の実施の形態の端子間の配線図である。
【符号の説明】
【００２４】
１〜３  導電バー
１ａ、１ｂ  分岐接続部
２ａ、２ｂ  分岐接続部
５〜８  受刃
１０〜１２  差し込み溝
１５、１６  接点部
１７、１８  端子部
【図１】
2005100727.tif 000003
【図２】
2005100727.tif 000004
【図３】
2005100727.tif 000005
【図４】
2005100727.tif 000006
【図５】
2005100727.tif 000007